(57)【要約】【課題】運転状態における段差メッシュ隙間を最適化して圧縮効率を向上させたスクロール圧縮機を提供すること。【解決手段】段付形状のスクロール圧縮機において、固定スクロール１２の連結壁面１２ｈと旋回スクロール１３の連結縁１３ｅとの段部側面間に生じる段部メッシュ隙間設定値（Ｈf ）と、旋回スクロール１３の連結壁面１３ｈと固定スクロール１２の連結縁１２ｅとの段部側面間に生じる段部メッシュ隙間設定値（Ｈo ）とを有し、旋回スクロール１３が運転時にガス圧を受けて傾斜することで互いに接近する段部メッシュ隙間設定値（図示の例ではＨf）を互いに離間する他方（図示の例ではＨo）より大きく設定した。【選択図】図１
2006342775.tif 000002
【特許請求の範囲】
【請求項１】
端板の一側面に立設された渦巻き状の壁体を有する固定スクロールと、端板の一側面に立設された渦巻き状の壁体を有し、前記各壁体どうしを噛み合わせて自転を阻止されつつ公転旋回運動可能に支持された旋回スクロールとを備え、前記固定スクロールと旋回スクロールの少なくともいずれか一方の端板には、前記一側面に、その高さが壁体の渦に沿ってその中心部側で高く外終端側で低くなるよう形成された段差部が設けられ、前記固定スクロールと旋回スクロールのいずれか他方の壁体の上縁は、前記端板の段差部に対応し、複数の部位に分割されかつ該部位の高さが渦の中心部側で低く外終端側で高くなる段付形状とされたスクロール圧縮機において、
前記固定スクロールの歯底と前記旋回スクロールの歯先との段部側面間に生じる第１の段部メッシュ隙間設定値（Ｈf ）と、前記旋回スクロールの歯底と前記固定スクロールの歯先との段部側面間に生じる第２の段部メッシュ隙間設定値（Ｈo ）とを有し、前記旋回スクロールが運転時にガス圧を受けて傾斜することで互いに接近する段部メッシュ隙間設定値を互いに離間する他方より大きく設定したことを特徴とするスクロール圧縮機。
【請求項２】
請求項１に記載のスクロール圧縮機において、
前記第１及び第２の段部メッシュ隙間設定値（Ｈf ，Ｈo ）は、噛み合い開始時に形成される段部メッシュ隙間量（ｈs
）よりも噛み合い終了時に形成される段部メッシュ隙間量（ｈe ）を小さく（ｈs ＞ｈe ）設定し、噛み合い開始から噛み合い終了に至るまで段部メッシュ隙間量（ｈ）が徐々に減少するように設定したことを特徴とするスクロール圧縮機。
【請求項３】
請求項１または２記載のスクロール圧縮機において、
前記段差部で噛み合う歯底及び歯先の断面形状が、噛み合い開始時から噛み合い終了時まで接触面積が増すように曲率半径を変化させた非対称形状であることを特徴とするスクロール圧縮機。
【発明の詳細な説明】
【技術分野】
【０００１】
本発明は、空気調和装置や冷凍装置等に適用されるスクロール圧縮機に関する。
【背景技術】
【０００２】
スクロール圧縮機は、固定スクロールと旋回スクロールとを渦巻き状の壁体どうしを組み合わせて配置し、固定スクロールに対し旋回スクロールを公転旋回運動させることで壁体間に形成される圧縮室の容積を漸次減少させて該圧縮室内の流体の圧縮を行うものである。このようなスクロール圧縮機においては、圧縮機自体を大型化することなく圧縮比を高めて圧縮能力の向上が可能となるため、スクロール部材に段付形状を採用したものが実用化されている。（たとえば、特許文献１参照）
【特許文献１】特開２００３−３５２８５号公報
【発明の開示】
【発明が解決しようとする課題】
【０００３】
ところで、上述したスクロール部材の段付部においては、旋回スクロールの旋回動作を許容するため、固定スクロール側と旋回スクロール側との間に微小な隙間が形成されている。従って、圧縮過程の進行により圧縮室の容積が漸次減少すると、高圧側から低圧側へ微小な隙間を通って圧縮ガスの漏出が生じることとなるので、段付部に形成される微小な隙間はスクロール圧縮機の圧縮効率を低下させる要因となっていた。
このような圧縮ガスの漏出流路となる微小隙間として、段付形状を採用したスクロール圧縮機の段差部に設けられている「段差メッシュ隙間」と呼ばれる隙間がある。この段差メッシュ隙間は、段付形状の段差部において歯底側と歯先側との段部側面間（連結縁と連結壁面との間）に形成される隙間のことであり、スクロール圧縮機に２箇所ある段差メッシュ隙間は運転停止状態で同じ値となるように設定されている。
【０００４】
しかし、上述した段差メッシュ隙間は、スクロール圧縮機を運転して旋回スクロールが圧縮動作を開始すると、旋回スクロールの傾斜により２箇所ある段差メッシュ隙間の一方は接近して小さくなるものの、他方は離間して大きな隙間となる。このような背景から、スクロール圧縮機の運転状態における段差メッシュ隙間を最適化し、運転時に段差メッシュ隙間を通って高圧側から低圧側へ漏出する圧縮ガスの漏れ量を低減することで、より一層の効率向上が求められる。
本発明は、上記の事情に鑑みてなされたものであり、その目的とするところは、運転状態における段差メッシュ隙間を最適化して圧縮効率を向上させたスクロール圧縮機を提供することにある。
【課題を解決するための手段】
【０００５】
本発明は、上記の課題を解決するため、下記の手段を採用した。
本発明に係るスクロール圧縮機は、端板の一側面に立設された渦巻き状の壁体を有する固定スクロールと、端板の一側面に立設された渦巻き状の壁体を有し、前記各壁体どうしを噛み合わせて自転を阻止されつつ公転旋回運動可能に支持された旋回スクロールとを備え、前記固定スクロールと旋回スクロールの少なくともいずれか一方の端板には、前記一側面に、その高さが壁体の渦に沿ってその中心部側で高く外終端側で低くなるよう形成された段差部が設けられ、前記固定スクロールと旋回スクロールのいずれか他方の壁体の上縁は、前記端板の段差部に対応し、複数の部位に分割されかつ該部位の高さが渦の中心部側で低く外終端側で高くなる段付形状とされたスクロール圧縮機において、
前記固定スクロールの歯底と前記旋回スクロールの歯先との段部側面間に生じる第１の段部メッシュ隙間設定値（Ｈf ）と、前記旋回スクロールの歯底と前記固定スクロールの歯先との段部側面間に生じる第２の段部メッシュ隙間設定値（Ｈo ）とを有し、前記旋回スクロールが運転時にガス圧を受けて傾斜することで互いに接近する段部メッシュ隙間設定値を互いに離間する他方より大きく設定したことを特徴とするものである。
【０００６】
本発明のスクロール圧縮機によれば、固定スクロールの歯底と旋回スクロールの歯先との段部側面間に生じる第１の段部メッシュ隙間設定値（Ｈf ）と、旋回スクロールの歯底と固定スクロールの歯先との段部側面間に生じる第２の段部メッシュ隙間設定値（Ｈo ）との設定寸法について、旋回スクロールが運転時にガス圧を受けて傾斜することで互いに接近するいずれか一方の段部メッシュ隙間の設定値を互いに離間する他方より大きく設定したので、運転時にガス圧を受けて旋回スクロールが傾斜した状態となれば、接近する側の段差メッシュ隙間及び離間する側の段差メッシュ隙間を略最小の最適値に設定することが可能となるので、段差メッシュ隙間からの漏れ量を低減することができる。
【０００７】
請求項１に記載のスクロール圧縮機において、前記第１及び第２の段部メッシュ隙間設定値（Ｈf ，Ｈo ）は、噛み合い開始時に形成される段部メッシュ隙間量（ｈs ）よりも噛み合い終了時に形成される段部メッシュ隙間量（ｈe ）を小さく（ｈs
＞ｈe ）設定し、噛み合い開始から噛み合い終了に至るまで段部メッシュ隙間量（ｈ）が徐々に減少するように設定することが好ましく、これにより、差圧が大きくなるにつれて段部メッシュ隙間量（ｈ）が減少するようにしたので、圧縮過程における段差メッシュ隙間からの漏れ量を低減することができる。
【０００８】
請求項１または２記載のスクロール圧縮機において、前記段差部で噛み合う歯底及び歯先の断面形状が、噛み合い開始時から噛み合い終了時まで接触面積が増すように曲率半径を変化させた非対称形状であることが好ましく、これにより、差圧の大きい状態で接触面積が大きくしてシール性能を増すので、圧縮過程における段差メッシュ隙間からの漏れ量を低減することができる。
【発明の効果】
【０００９】
上述した本発明によれば、段付形状の段差部において歯底側と歯先側との側面間に形成される段差メッシュ隙間が運転状態で最適化され、運転時の圧縮過程で隙間段差メッシュ隙間から漏れる圧縮ガス量を低減することができるので、スクロール圧縮機の圧縮効率が向上するという顕著な効果が得られる。
さらに、差圧が大きい圧縮過程後半ほど段差メッシュ隙間を小さく設定することや、差圧が大きい圧縮過程後半ほど連結壁面と連結縁との接触面積を大きくする非対称の断面形状を採用してシール性能を増すことによって、段付形状の段付部を有するスクロール圧縮機の圧縮効率をより一層向上させることができる。
【発明を実施するための最良の形態】
【００１０】
以下、本発明に係るスクロール圧縮機の一実施形態を図面に基づいて説明する。
図３はスクロール圧縮機の構成例を示す断面図であり、図中の符号１は密閉状態のハウジング、２はハウジング１内を高圧室ＨＲと低圧室ＬＲとに分離するディスチャージカバー、５はフレーム、６は吸入管、７は吐出管、８はモータ、９は回転シャフト、１０は自転阻止機構である。そして、符号１２は固定スクロール、１３は固定スクロール１２に噛み合う旋回スクロールである。
【００１１】
固定スクロール１２は、図４（ａ）に示すように、端板１２ａの一側面に渦巻き状の壁体１２ｂが立設された構成となっている。旋回スクロール１３は、図４（ｂ）に示すように、固定スクロール１２と同様に端板１３ａの一側面に渦巻き状の壁体１３ｂが立設された構成となっており、特に壁体１３ｂは固定スクロール１２側の壁体１２ｂと実質的に同一形状をなしている。旋回スクロール１３は固定スクロール１２に対して相互に公転旋回半径だけ偏心しかつ１８０度だけ位相をずらした状態で、壁体１２ｂ，１３ｂどうしを噛み合わせて組み付けられている。
この場合、旋回スクロール１３は、モータ８で駆動される回転シャフト９の上端に設けられて旋回運動する偏心ピン９ａ及び自転阻止機構１０の作用により、固定スクロール１２に対して公転旋回運動を行うようになっている。一方、固定スクロール１２は、ハウジング１に固定されており、端板１２ａの背面中央には圧縮された流体の吐出ポート１１が設けられている。
【００１２】
固定スクロール１２の端板１２ａには、壁体１２ｂが立設された一側面に、壁体１２ｂの渦方向に沿って中心部側で高く外終端側で低くなるよう形成された段差部４２を備えている。旋回スクロール１３側の端板１３ａも固定スクロール１２の端板１２ａと同様に、壁体１３ｂが立設された一側面に、壁体１３ｂの渦方向に沿って中心部側で高く外終端側で低くなるよう形成された段差部４３を備えている。各段差部４２，４３は、それぞれ壁体１２ｂ、壁体１３ｂの渦巻中心を基準として、たとえば各壁体１２ｂ、１３ｂの外終端（吸入側）から内終端（吐出側）へπ(rad) 進んだ位置に設けられている。
【００１３】
端板１２ａの底面は、段差部４２が形成されていることにより、中心部よりに設けられた底の浅い底面１２ｆと外終端よりに設けられた底の深い底面１２ｇとの２つの部位に分けられている。隣り合う底面１２ｆ，１２ｇ間には、段差部４２を構成し、前記底面１２ｆ，１２ｇを繋いで垂直に切り立つ連結壁面１２ｈが存在している。
端板１３ａの底面も上述した端板１２ａと同様に、段差部４３が形成されていることにより、中心部よりに設けられた底の浅い底面１３ｆと外終端よりに設けられた底の深い底面１３ｇとの２つの部位に分けられている。隣り合う底面１３ｆ，１３ｇ間には、段差部４３を構成し、前記底面１３ｆ，１３ｇを繋いで垂直に切り立つ連結壁面１３ｈが存在している。
【００１４】
また、固定スクロール１２側の壁体１２ｂは、旋回スクロール１３の段差部４３に対応し、その渦巻き状の上縁が２つの部位に分割され、かつ渦の中心部側で低く外終端側で高い段付形状となっている。旋回スクロール１３側の壁体１３ｂも壁体１２ｂと同様に、固定スクロール１２の段差部４２に対応し、渦巻き状の上縁が２つの部位に分割され、かつ渦の中心部側で低く外終端側で高い段付形状となっている。
具体的には、壁体１２ｂの上縁は、中心部寄りに設けられた低位の上縁１２ｃと外終端寄りに設けられた高位の上縁１２ｄとの２つの部位に分けられ、隣り合う上縁１２ｃ，１２ｄ間には、両者を繋いで旋回面に垂直な連結縁１２ｅが存在している。壁体１３ｂの上縁も上述した壁体１２ｂと同様に、中心部寄りに設けられた低位の上縁１３ｃと外終端寄りに設けられた高位の上縁１３ｄとの２つの部位に分けられ、隣り合う上縁１３ｃ，１３ｄ間には、両者を繋いで旋回面に垂直な連結縁１３ｅが存在している。
【００１５】
連結縁１２ｅは、壁体１２ｂを旋回スクロール１３の方向から見ると壁体１２ｂの内外両側面に滑らかに連続し壁体１２ｂの肉厚に等しい直径を有する半円形をなしており、連結縁１３ｅも連結縁１２ｅと同様に、壁体１３ｂの内外両側面に滑らかに連続し壁体１３ｂの肉厚に等しい直径を有する半円形をなしている。
また、連結壁面１２ｈは、端板１２ａを旋回軸方向から見ると旋回スクロールの旋回に伴って連結縁１３ｅが描く包絡線に一致する円弧をなしており、連結壁面１３ｈも連結壁面１２ｈと同様に、連結縁１２ｅが描く包絡線に一致する円弧をなしている。
【００１６】
固定スクロール１２の壁体１２ｂには、上縁１２ｃ，１２ｄに連結縁１２ｅの近傍で二つに分断されたチップシール１４ａ，１４ｂが設けられている。同様に、旋回スクロール１３の壁体１３ｂには、上縁１３ｃ，１３ｄに連結縁１３ｅの近傍で二つに分断されたチップシール１５ａ，１５ｂが設けられている。これらのチップシールは、旋回スクロール１２と固定スクロール１３との間において、上縁（歯先）と底面（歯底）との間に形成されるチップシール隙間をシールして圧縮したガス流体の漏れを最小限に抑えるものである。
すなわち、固定スクロール１２に旋回スクロール１３を組み付けると、低位の上縁１３ｃに設けたチップシール１５ｂが底の浅い底面１２ｆに当接し、高位の上縁１３ｄに設けたチップシール１５ａが底の深い底面１２ｇに当接することとなる。同時に、低位の上縁１２ｃに設けたチップシール１４ａが底の浅い底面１３ｆに当接し、高位の上縁１２ｄに設けたチップシール１４ｂが底の深い底面１３ｇに当接することとなる。この結果、両スクロール１２，１３間には、互いに向かい合う端板１２ａ，１３ａと壁体１２ｂ，１３ｂとに区画されて圧縮室Ｃが形成される。なお、図４においては、固定スクロール１２の段付形状を示すため、固定スクロール１２の上下を逆にして図示されている。
【００１７】
図５は、固定スクロール１２と旋回スクロール１３とが組み合わされて圧縮室Ｃを形成し、圧縮を開始する状態を示している。この圧縮開始状態では、壁体１２ｂの外終端が壁体１３ｂの外側面に当接するとともに、壁体１３ｂの外終端が壁体１２ｂの外側面に当接し、端板１２ａ，１３ａ、壁体１２ｂ，１３ｂ間に圧縮する流体が封入され、スクロール圧縮機構の中心を挟んで正対した位置に、最大容積の圧縮室Ｃが二つ形成される。この時点では、連結縁１２ｅと連結壁面１３ｈ、連結縁１３ｅと連結壁面１２ｈは摺接しているが、旋回スクロール１２の旋回動作により直後に離間する。
【００１８】
また、上述した固定スクロール１２及び旋回スクロール１３を組み合わせた状態において、２箇所の段差部４２，４３における段部メッシュ隙間設定値Ｈo ，Ｈf （図１参照）は、無負荷の運転停止状態で下記のように設定されている。なお、段部メッシュ隙間は、段付形状の段差部４２，４３において、歯先側段部側面である連結縁１２ｅ，１３ｅと、歯底側段部側面である連結壁面１２ｈ，１３ｈとの間に形成される隙間のことである。
すなわち、段差部４２において固定スクロール１２の連結壁面（歯底側段部壁面）１２ｈと旋回スクロール１３の連結縁（歯先側段部壁面）との段部側面間に生じる第１の段部メッシュ隙間設定値（以下、「固定側設定値」と呼ぶ）Ｈf と、段差部４３において旋回スクロール１３の連結壁面（歯底側段部壁面）１３ｈと固定スクロール１２の連結縁（歯先側段部壁面）１２ｅとの段部側面間に生じる第２の段部メッシュ隙間設定値（以下、「旋回側設定値」と呼ぶ）Ｈoとを比較した場合、運転時にガス圧を受けて旋回スクロール１３が傾斜することで互いに接近する側となる固定側設定値Ｈfが、互いに離間する旋回側設定値Ｈoよりも大きくなるように（Ｈf＞Ｈo）設定されている。
【００１９】
上述したスクロール圧縮機の運転を開始すると、図２に示すように、旋回スクロール１３はガス圧を受けて紙面右方向（時計回り方向）へ若干傾斜する。このため、図１に示した停止状態で設定された固定側設定値Ｈf 及び旋回側設定値Ｈo は、旋回スクロール１３が傾斜したことにより、それぞれ固定側段部メッシュ隙間 Ｈf′及び旋回側段部メッシュ隙間 Ｈo′に変化する。
一方の固定側段部メッシュ隙間 Ｈf′は、旋回スクロール１３の傾斜により連結縁１３ｅが連結壁面１２ｈに接近するので、停止状態で設定された固定側設定値Ｈf
より狭くなる。反対に、旋回側段部メッシュ隙間 Ｈo′は、旋回スクロール１３の傾斜により連結縁１２ｅが連結壁面１３ｈから離間するので、停止状態で設定された固定側設定値Ｈo
より広くなる。
【００２０】
このため、旋回スクロール１３が傾斜する運転状態の段差メッシュ隙間は、段差部４２側の固定側段差メッシュ隙間 Ｈf′は停止時より小さくなり、かつ、段差部４３側における離間後の旋回側段差メッシュ隙間 Ｈo′も従来より小さくなるので、旋回側及び固定側が最適化されて全体としての開口面積を減少させることができる。従って、スクロール圧縮機の圧縮過程において、段差メッシュ隙間の開口面積を通って高圧側から低圧側へ漏出するガス量が低減するので、段付形状を採用したスクロール圧縮機の圧縮効率を向上させることができる。
【００２１】
また、上述したスクロール圧縮機の段差部４２，４３において、固定側設定値Ｈf 及び旋回側設定値Ｈo  は、たとえば図６に示すように、固定スクロール１２と旋回スクロール１３との噛み合い開始時に形成される段部メッシュ隙間量ｈsよりも噛み合い終了時に形成される段部メッシュ隙間量ｈeを小さく（ｈs＞ｈe）設定し、噛み合い開始から噛み合い終了に至るまで段部メッシュ隙間量ｈが徐々に減少するように設定されている。
この場合、段差部４２，４３で噛み合っている連結壁面（歯底）１２ｈ，１３ｈ及び連結縁（歯先）１２ｅ，１３ｅの断面形状は、いずれも略半円形断面とされる。
【００２２】
図６では、（ａ）に示す噛み合い開始の状態から圧縮が始まり、旋回スクロール１３の連結縁１３ｅが圧縮過程の進行とともに（ｂ）〜（ｄ）の順に移動して（ｅ）で圧縮が完了する。このような圧縮過程において、圧縮室Ｃは旋回スクロール１３の壁体１３ｂにより高圧側ＰＨと低圧側ＰＬとに分割される。
しかし、高圧側ＰＨと低圧側ＰＬとの差圧が小さい圧縮開始初期においては、段部メッシュ隙間量ｈが比較的大きくても圧縮したガスの漏れ量はそれほど多くない。そして、圧縮過程が進行し、高圧側ＰＨと低圧側ＰＬとの差圧が大きくなるにつれて、段差メッシュ量ｈが一定であれば漏れ量は増加するのであるが、段差メッシュ隙間量ｈは徐々に小さくなるように設定されているので、圧縮したガスの漏れ量も制限されて少なくてすむ。この結果、圧縮過程全体としての圧縮ガス漏れ量を低減することができるので、段付形状を採用したスクロール圧縮機の圧縮効率を向上させることができる。
【００２３】
また、図７は、上述した図６の変形例を示すものであり、段差部４２′，４３′で噛み合う連結壁面（歯底）１２ｈ′，１３ｈ′及び連結縁（歯先）１２ｅ′，１３ｅ′の断面形状が、噛み合い開始時から噛み合い終了時まで接触面積が増すように曲率半径を変化させた非対称形状とされる。
図７では、（ａ）に示す噛み合い開始の状態から圧縮が始まり、旋回スクロール１３の連結縁１３ｅ′が圧縮過程の進行とともに（ｂ）〜（ｄ）の順に移動して（ｅ）で圧縮が完了する。このような圧縮過程において、圧縮室Ｃは旋回スクロール１３の壁体１３ｂにより高圧側ＰＨと低圧側ＰＬとに分割される。
【００２４】
この変形例では、曲率半径を非対称形状としたので、高圧側ＰＨと低圧側ＬＨとの差圧が大きい状態では連結壁面と連結縁との接触面積を大きくしてシール性能を増すことができる。
具体的に説明すると、噛み合い開始の状態では線接触にして接触面積を小さくしても、差圧が小さいので漏れ量は多くない。しかし、連結壁面（歯底）１２ｈ′，１３ｈ′及び連結縁（歯先）１２ｅ′，１３ｅ′は、圧縮過程が進んで差圧が大きくなるにつれて線接触から面接触に変化し、接触面積が徐々に増すような非対称の曲率半径の断面形状としたので、差圧の大きい圧縮過程後半では大きな接触面積により十分なシール性能を得ることができる。このため、差圧の大きい圧縮過程の後半でも段差メッシュ隙間からの漏れ量を低減することができるようになるので、段付形状を採用したスクロール圧縮機の圧縮効率を向上させることができる。
【００２５】
このように、本発明のスクロール圧縮機によれば、段付形状の段差部４２，４３において歯底側と歯先側との側面間に形成される段差メッシュ隙間が運転状態で小さくなるよう最適化され、この結果、運転時の圧縮過程で隙間段差メッシュ隙間から漏れる圧縮ガス量を低減することができる。従って、段付形状の段差部を有するスクロール圧縮機の圧縮効率が向上するという顕著な効果が得られる。
また、段差メッシュ隙間は、差圧が大きい圧縮過程後半ほど小さく設定したので、これによっても段付形状の段差部を有するスクロール圧縮機の圧縮効率が向上するという顕著な効果が得られる。さらに、差圧が大きい状態で連結壁面と連結縁との接触面積を大きくする非対称の断面形状を採用し、圧縮過程後半ほどシール性能を増すようにしたので、これによっても段付形状の段差部を有するスクロール圧縮機の圧縮効率が向上するという顕著な効果が得られる。
なお、本発明は上述した実施形態に限定されるものではなく、本発明の要旨を逸脱しない範囲内において適宜変更することができる。
【図面の簡単な説明】
【００２６】
【図１】本発明に係るスクロール圧縮機の一実施形態として、（ａ）は停止時における固定スクロールと旋回スクロールとの噛み合い状態を示す平面図、（ｂ）は（ａ）の段付部４２付近を示す拡大図、（ｃ）は（ａ）の段付部４３付近を示す拡大図である。
【図２】本発明に係るスクロール圧縮機の一実施形態として、（ａ）は運転時における固定スクロールと旋回スクロールとの噛み合い状態を示す平面図、（ｂ）は（ａ）の段付部４２付近を示す拡大図、（ｃ）は（ａ）の段付部４３付近を示す拡大図である。
【図３】本発明に係るスクロール圧縮機の構成例を示す部分断面図である。
【図４】本発明に係るスクロール圧縮機について、（ａ）は固定スクロールを上下逆向きにして構成例を示す斜視図、（ｂ）は旋回スクロールの構成例を示す斜視図である。
【図５】固定スクロールと旋回スクロールとが組み合わされて圧縮室を形成し、圧縮を開始する状態を示す断面図である。
【図６】本発明に係る段付部について、（ａ）に示す噛み合い開始の状態から圧縮を開始して（ｅ）に示す圧縮終了の状態まで、圧縮動作を段階的に示す部分拡大図である。
【図７】本発明に係る段付部の変形例について、（ａ）に示す噛み合い開始の状態から圧縮を開始して（ｅ）に示す圧縮終了の状態まで、圧縮動作を段階的に示す部分拡大図である。
【符号の説明】
【００２７】
１    ハウジング
２    ディスチャージカバー
１１    吐出ポート
１２    固定スクロール
１２ａ，１３ａ    端板
１２ｂ，１３ｂ    壁体
１２ｃ，１２ｄ，１３ｃ，１３ｄ    上縁（歯先）
１２ｅ，１３ｅ    連結縁（歯先）
１２ｆ，１２ｇ，１３ｆ，１３ｇ    底面（歯底）
１２ｈ，１３ｈ    連結壁面（歯底）
１３    旋回スクロール
４２，４３    段差部
Ｃ    圧縮室
Ｈf ，Ｈo     段部メッシュ隙間設定値
ｈ，ｈs ，ｈe     段差メッシュ隙間量
【図１】
2006342775.tif 000003
【図２】
2006342775.tif 000004
【図３】
2006342775.tif 000005
【図４】
2006342775.tif 000006
【図５】
2006342775.tif 000007
【図６】
2006342775.tif 000008
【図７】
2006342775.tif 000009